【手続補正書】
【提出日】平成28年2月24日(2016.2.24)
【手続補正１】
【補正対象書類名】特許請求の範囲
【補正対象項目名】全文
【補正方法】変更
【補正の内容】
【特許請求の範囲】
【請求項１】
回転シャフトに入力される機械的エネルギーによって駆動されるように構成された可変容量型の油圧ポンプと、
前記油圧ポンプからの圧油によって駆動されるように構成された可変容量型の油圧モータと、
前記油圧ポンプから前記油圧モータに前記圧油を導くための高圧油ラインと、
前記油圧ポンプおよび前記油圧モータの押しのけ容積をそれぞれ制御するためのコントローラと、を備え、
前記コントローラは、
前記油圧モータの押しのけ容積又は前記圧油の圧力の少なくとも一方が第１閾値未満のとき、前記高圧油ラインにおける前記圧油の圧力を目標値に調節するために前記油圧モータの押しのけ容積を制御し、
前記油圧モータの押しのけ容積又は前記圧油の圧力の少なくとも一方が前記第１閾値以上に達したとき、前記回転シャフトに入力される前記機械的エネルギーの急増に伴う前記圧油の圧力急上昇を防止するために前記油圧ポンプの押しのけ容積を減少させるように構成され、
前記コントローラは、下記（１）又は（２）の少なくとも一方の制御モードを実行するように構成されたことを特徴とする油圧トランスミッション。
（１）前記油圧モータの押しのけ容積が前記第１閾値以上に達したとき、前記圧油の圧力を前記目標値に調節するための機器を前記油圧モータから前記油圧ポンプに切り替えて、前記油圧ポンプの押しのけ容積を制御する第１制御モード
（２）前記圧油の圧力が前記第１閾値以上のとき、前記回転シャフトの回転数と前記油圧ポンプのトルクとの規定の相関関係に基づいて決定される前記油圧ポンプの押しのけ容積に対してリミット処理を施し、前記油圧ポンプの押しのけ容積を上限値以下に制限する第２制御モード
（但し、前記リミット処理による前記上限値は、前記第１閾値以上での前記圧油の圧力範囲において、前記圧油の圧力の上昇とともに前記上限値が減少して最終的にはゼロに到達する関数によって規定される。）
【請求項２】
前記コントローラは、前記油圧モータの押しのけ容積が前記第１閾値以上に達したとき、前記油圧モータの押しのけ容積を最大値に固定するように構成されることを特徴とする請求項１に記載の油圧トランスミッション。
【請求項３】
前記コントローラは、前記油圧モータの押しのけ容積が前記第１閾値よりも低い第２閾値を下回ったとき、前記圧油の圧力を前記目標値に調節するための機器を前記油圧ポンプから前記油圧モータに切り替えて、前記油圧モータの押しのけ容積の制御を再開するように構成されることを特徴とする請求項１又は２に記載の油圧トランスミッション。
【請求項４】
前記コントローラは、前記圧油の圧力に応じて変化するゲインを用いて前記油圧モータの押しのけ容積の制御指令を決定するように構成されるとともに、前記圧油の圧力が前記第１閾値以上に達したとき、前記圧油の圧力の増加に伴い前記油圧ポンプの押しのけ容積を前記上限値以下に制限し、且つ、前記圧油の圧力が前記第１閾値未満のときよりも大きい前記ゲインを用いて前記油圧モータの押しのけ容積の制御指令を決定するように構成されることを特徴とする請求項１乃至３の何れか一項に記載の油圧トランスミッション。
【請求項５】
前記コントローラは、前記油圧モータの押しのけ容積が前記第１閾値未満のとき、前記回転シャフトの回転数と前記油圧ポンプのトルクとの規定の相関関係に従って、前記油圧ポンプのトルクを目標値に調節するために前記油圧ポンプの押しのけ容積を制御するように構成されることを特徴とする請求項１乃至４の何れか一項に記載の油圧トランスミッション。
【請求項６】
前記第１閾値は、前記油圧モータの最大押しのけ容積の８０％以上１００％以下であることを特徴とする請求項１乃至５の何れか一項に記載の油圧トランスミッション。
【請求項７】
前記第１閾値は、前記圧油の圧力の定格の１００％以上１２０％以下であることを特徴とする請求項１乃至５の何れか一項に記載の油圧トランスミッション。
【請求項８】
前記第１閾値と前記第２閾値との差は、前記油圧モータの最大押しのけ容積の２％以上４０％以下であることを特徴とする請求項１乃至５の何れか一項に記載の油圧トランスミッション。
【請求項９】
少なくとも一本のブレードと、
発電機と、
前記少なくとも一本のブレードで受けた再生可能エネルギーによって回転するように構成された回転シャフトと、
前記回転シャフトの回転エネルギーを前記発電機に伝えるように構成された請求項１乃至８の何れか一項に記載の油圧トランスミッションと、
を備えることを特徴とする再生エネルギー型発電装置。
【請求項１０】
前記コントローラは、前記油圧モータの押しのけ容積が前記第１閾値以上に達したとき、前記油圧モータの押しのけ容積を最大値に固定するように構成されることを特徴とする請求項９に記載の再生エネルギー型発電装置。
【請求項１１】
前記少なくとも一本のブレードが再生エネルギー源としての風から受け取った風力エネルギーを利用して前記発電機にて電力を生成する風力発電装置であることを特徴とする請求項９又は１０に記載の再生エネルギー型発電装置。
【請求項１２】
回転シャフトに入力される機械的エネルギーによって駆動される可変容量型の油圧ポンプと、前記油圧ポンプからの圧油によって駆動される可変容量型の油圧モータと、前記油圧ポンプから前記油圧モータに前記圧油を導くための高圧油ラインと、を備えた油圧トランスミッションの運転方法であって、
前記油圧モータの押しのけ容積又は前記圧油の圧力の少なくとも一方が第１閾値未満のとき、前記高圧油ラインにおける前記圧油の圧力を目標値に調節するために前記油圧モータの押しのけ容積を制御し、
前記油圧モータの押しのけ容積又は前記圧油の圧力の少なくとも一方が前記第１閾値以上に達したとき、前記回転シャフトに入力される前記機械的エネルギーの急増に伴う前記圧油の圧力急上昇を防止するために前記油圧ポンプの押しのけ容積を減少させるとともに、
前記押しのけ容積を減少させる際、下記（１）又は（２）の少なくとも一方のステップを実施することを特徴とする油圧トランスミッションの運転方法。
（１）前記油圧モータの押しのけ容積が前記第１閾値以上に達したとき、前記圧油の圧力を前記目標値に調節するための機器を前記油圧モータから前記油圧ポンプに切り替えて、前記油圧ポンプの押しのけ容積を制御する第１制御モード
（２）前記圧油の圧力が前記第１閾値以上のとき、前記回転シャフトの回転数と前記油圧ポンプのトルクとの規定の相関関係に基づいて決定される前記油圧ポンプの押しのけ容積に対してリミット処理を施し、前記油圧ポンプの押しのけ容積を上限値以下に制限する第２制御モード
（但し、前記リミット処理による前記上限値は、前記第１閾値以上での前記圧油の圧力範囲において、前記圧油の圧力の上昇とともに前記上限値が減少して最終的にはゼロに到達する関数によって規定される。）
【請求項１３】
少なくとも一本のブレードと、前記少なくとも一本のブレードで受けた再生可能エネルギーによって回転する回転シャフトと、前記回転シャフトによって駆動される可変容量型の油圧ポンプと、前記油圧ポンプからの圧油によって駆動される可変容量型の油圧モータと、前記油圧ポンプから前記油圧モータに前記圧油を導くための高圧油ラインと、前記油圧モータによって駆動される発電機と、を備える再生エネルギー型発電装置の運転方法であって、
請求項１２に記載の方法に従って前記油圧トランスミッションを運転するステップを備えることを特徴とする再生エネルギー型発電装置の運転方法。